(57)【特許請求の範囲】
【請求項１】
駆動モータで駆動されるカード搬送手段によりカードがカード搬送路内を搬送されるカードリーダにおいて、搬送中のカードに形成されたエンボスを読み取る密着型スキャナと、この密着型スキャナを上記カードに密着するように加圧する加圧機構と、上記密着型スキャナ及び上記加圧機構を上記カード搬送路に対して近接・離間する方向に移動可能な開閉機構とを備え、上記開閉機構は固定フレームを係止する係止手段と、上記エンボスを避けた位置に設けられ上記加圧機構が上記密着型スキャナを加圧することで上記カードに押し付けられて上記カードと上記密着型スキャナの間隔を所定長にするリブとを有し、上記係止手段による係止を解除することで上記開閉機構を開いて上記密着型スキャナの読み取り面をクリーニングすることが可能であることを特徴とするカードリーダ。
【請求項２】
上記開閉機構は、本体フレームに軸によって揺動可能に取り付けられた揺動フレームと、この揺動フレームに固定され、上記リブが設けられたホルダとを備え、上記密着型スキャナは上記ホルダに固定されており、上記係止手段は上記ホルダを上記固定フレームに係止するものであることを特徴とする請求項１記載のカードリーダ。
【請求項３】
上記係止手段は、摘みと、この摘みに固定された軸と、この軸をその径方向に貫通する止めピンとを備えることを特徴とする請求項２記載のカードリーダ。
【発明の詳細な説明】
【０００１】
【発明の属する技術分野】
本発明は、カードリーダに関する。更に詳述すると、本発明は処理したカードの表面を撮影して画像データを取得することができるカードリーダに関するものである。
【０００２】
【従来の技術】
例えば銀行のＡＴＭ等で使用されているカードリーダは、処理したカードのエンボス文字等を撮影して画像データを取得するイメージスキャナを備えている。カードリーダで処理するカードには湾曲しているものもあるため、従来のカードリーダではイメージスキャナとして、被写界深度が深い縮小光学型イメージスキャナを使用していた。
【０００３】
【発明が解決しようとする課題】
しかしながら、縮小光学型イメージスキャナは光路長を確保する構造であるため大型である。このため、縮小光学型イメージスキャナを使用したカードリーダを小型化するのが困難であった。
【０００４】
一方、縮小光学型イメージスキャナとは別のタイプのイメージスキャナとして、密着型スキャナがある。この密着型スキャナは小型であり、カードリーダの小型化には適している。しかしながら、密着型スキャナは被写界深度が浅く、カードリーダに使用する場合にはカード搬送路の高さを狭くする必要がある。このため、処理するカードが曲がっていた場合等にはジャムが発生する虞があり、密着型スキャナをそのまま使用することはできなかった。
【０００５】
本発明は、密着型スキャナの使用を可能にして小型化を図ることができるカードリーダを提供することを目的とする。
【０００６】
【課題を解決するための手段】
かかる目的を達成するために請求項１記載のカードリーダは、駆動モータで駆動されるカード搬送手段によりカードがカード搬送路内を搬送されるカードリーダにおいて、搬送中のカードに形成されたエンボスを読み取る密着型スキャナと、この密着型スキャナをカードに密着するように加圧する加圧機構とを備えるものである。
【０００７】
したがって、カード搬送手段によってカードを搬送しながら密着型スキャナによってカード表面の画像が取り込まれる。加圧機構は被写界深度の浅い密着型スキャナをカード表面に押し付ける。このため、たとえカードが湾曲していてもカードの湾曲が矯正され、カードと密着型スキャナの間隔を所定長にした状態で密着型スキャナによってカード表面が走査される。
【０００８】
また、請求項１記載のカードリーダは、密着型スキャナ及び加圧機構をカード搬送路に対して近接・離間する方向に移動可能な開閉機構を備え、開閉機構は固定フレームを係止する係止手段と、エンボスを避けた位置に設けられ加圧機構が密着型スキャナを加圧することでカードに押し付けられてカードと密着型スキャナの間隔を所定長にするリブとを有し、係止手段による係止を解除することで開閉機構を開いて密着型スキャナの読み取り面をクリーニングすることが可能であるようにしている。したがって、加圧機構が密着型スキャナを加圧する方向と、開閉機構による密着型スキャナ及び加圧機構の移動方向が同じになる。また、開閉機構を開き密着型スキャナの読み取り面を持上げることでクリーニングが容易になる。さらに、リブがカードの表面に接触し、カードと密着型スキャナとの間隔が一定に保持される。
【０００９】
この場合、請求項２記載のカードリーダのように、開閉機構は、本体フレームに軸によって揺動可能に取り付けられた揺動フレームと、この揺動フレームに固定され、リブが設けられたホルダとを備え、密着型スキャナはホルダに固定されており、係止手段はホルダを固定フレームに係止するものであることが好ましい。
【００１０】
さらに、請求項３記載のカードリーダのように、係止手段は、摘みと、この摘みに固定された軸と、この軸をその径方向に貫通する止めピンとを備えることが好ましい。
【００１１】
【発明の実施の形態】
以下、本発明の構成を図面に示す最良の形態に基づいて詳細に説明する。
【００１２】
図１から図６に本発明を適用したカードリーダの実施形態の一例を示す。このカードリーダは、駆動モータ１で駆動されるカード搬送手段３によりカードとしてのＩＣカード４がカード搬送路２内を搬送されるもので、搬送中のＩＣカード４に形成されたエンボスを読み取る密着型スキャナ５と、この密着型スキャナ５をＩＣカード４に密着するように加圧する加圧機構６とを備えている。また、このカードリーダは、密着型スキャナ５及び加圧機構６をカード搬送路２に対して近接・離間する方向に移動可能な開閉機構７を有している。
【００１３】
なお、密着型スキャナ５はＩＣカード４の表面に形成されたエンボス文字を読み取るものであるが、これに限るものではなく、ＩＣカード４等のカードの表面の模様等を読み取るものであっても良い。
【００１４】
このカードリーダは、ＩＣカード４に設けられたＩＣ接点に接触してデータのリード・ライトを行う接触式のＩＣ接点ブロック８と、ＩＣカード４に設けられた磁気ストライプとの間でデータのリード・ライトを行う磁気ヘッド９を有している。なお、本実施形態では、密着型スキャナ５及び加圧機構６は、カードリーダの磁気処理・接触処理部１１の奥側の画像読み込み部１２に配置されている。
【００１５】
開閉機構７は、カードリーダの本体フレーム１３に軸１４によって揺動可能に取り付けられた揺動フレーム１５と、揺動フレーム１５に固定されたホルダ１６と、ホルダ１６を固定フレーム１７に係止する係止手段１８を備えて構成されている。ホルダ１６には、密着型スキャナ５が左右の押さえ板１９，２０によって固定されている。また、ホルダ１６の密着型スキャナ５の前後部分はカード搬送路２の上方を画する壁（以下、搬送路上側壁という）２１となっている。さらに、本実施形態では、ホルダ１６は樹脂成形されており、前後の搬送路上側壁２１も樹脂成形されている。また、前後の搬送路上側壁２１には、ＩＣカード４に形成されているエンボス文字を避けた位置にＩＣカード４と密着型スキャナ５の間隔を所定長にするリブ２２が設けられている。本実施形態では、図４に示すように、前後の搬送路上側壁２１の左右両端と中央にリブ２２が形成されている。
【００１６】
係止手段１８は、摘み２３と、摘み２３に固定された軸２４と、軸２４をその径方向に貫通する止めピン２５を備えて構成されている。軸２４はホルダ１６に設けられた孔２６を貫通し、止めピン２５によって抜け落ちるのを防止されている。ホルダ１６の孔２６の周囲部分の下面には、図５に示すように、止めピン２５を収容可能な窪み２７が設けられている。
【００１７】
図６に固定フレーム１７を示す。固定フレーム１７はカードリーダの本体フレーム１３に固定され、カード搬送路２の上方を画する壁を構成している。固定フレーム１７の係止手段１８に対向する位置には、図２に示すように、孔２８が設けられている。また、固定フレーム１７の上面には、孔２８を覆うように係止プレート２９が取り付けられており、係止プレート２９の孔２８に対向する位置には、軸２４の先端及び止めピン２５が通過可能な形状のスリット３０が設けられている。したがって、軸２４を回転させて止めピン２５の位置をスリット３０の形状に合わせることで、軸２４の先端を孔２８に挿入したり孔２８から引き抜いたりすることが出来る。また、軸２４を回転させて止めピン２５の位置をスリット３０からずらしておくことで、孔２８内に挿入した軸２４の先端を孔２８から抜けないようにすることが出来る。
【００１８】
加圧機構６は、例えば係止手段１８の軸２４の周りに配置されたコイルスプリングである。この加圧機構６は、摘み２３とホルダ１６の間に圧縮された状態で設けられ、ホルダ１６をカード搬送路２に向けて、即ち開閉機構７が開閉する方向に向けて押圧している。
【００１９】
このカードリーダのカード挿入口３２に差し込まれたＩＣカード４をプリヘッド３３が検出すると、駆動モータ１が回転しカード搬送手段３を駆動する。カード搬送手段３は、例えば４つの搬送ローラ対３４〜３７を備えている。駆動モータ１の回転はギア３８に伝えられ、さらに搬送ローラ対３４に伝えられる。搬送ローラ対３４の回転は２つの搬送ローラ対３５，３６に伝えられ、さらに搬送ローラ対３５の回転は搬送ローラ対３７に伝えられる。
【００２０】
カード搬送手段３によってカードリーダ内に取り込まれたＩＣカード４が画像読み込み部１２まで搬送され密着型スキャナ５の下方を通過すると、この密着型スキャナ５によってＩＣカード４の表面の画像が読み込まれる。
【００２１】
ホルダ１６に取り付けられた密着型スキャナ５は加圧機構６によってカード搬送路２に向けて加圧されているので、リブ２２がＩＣカード４の表面に接触し、ＩＣカード４と密着型スキャナ５との間隔が一定に保持される。また、たとえＩＣカード４が湾曲していても、加圧機構６の加圧力によってＩＣカード４の湾曲が矯正され、あるいは湾曲を完全に矯正できない場合であっても加圧機構６であるコイルスプリングが縮むことで密着型スキャナ５がＩＣカード４の湾曲に応じて退くので、常にＩＣカード４と密着型スキャナ５との間隔が一定に保持される。また、密着型スキャナ５がＩＣカード４の湾曲に応じて退くので、たとえＩＣカード４が湾曲していても搬送中にジャムを発生することがない。
【００２２】
密着型スキャナ５をメンテナンスする場合等には、係止手段１８を固定フレーム１７から外して開閉機構７を開けば良い。係止手段１８の摘み２３を回転させて止めピン２５の位置を係止プレート２９のスリット３０の形状に合わせることで、軸２４の先端を固定フレーム１７の孔２８から引き抜くことが出来る。軸２４の先端を引き抜いてホルダ１６及び揺動フレーム１５を軸１４まわりに持ち上げることで開閉機構７が開き、密着型スキャナ５の読み取り面を上に向けることができてメンテナンスし易くなる。なお、軸２４の先端を固定フレーム１７の孔２８から引き抜くと加圧機構６の加圧力が軸２４を孔２６から引き抜こうとするが、ホルダ１６に設けられた窪み２７に止めピン２５が入り込んで引っ掛かり、軸２４が抜け落ちるのを防止する。
【００２３】
密着型スキャナ５のメンテナンスを行った後、開閉機構７を閉じる。ホルダ１６及び揺動フレーム１５を軸１４まわりに降ろし、係止手段１８によって固定フレーム１７に係止する。係止手段１８の止めピン２５の位置をスリット３０の形状に合わせることで軸２４の先端を固定フレーム１７の孔２８内に挿入することができる。そして、摘み２３を回転させて止めピン２５の位置をスリット３０からずらすことで、軸２４の先端が固定フレーム１７の孔２８から抜けなくなり、係止手段１８によってホルダ１６及び揺動フレーム１５が固定フレーム１７に係止される。
【００２４】
このカードリーダでは、加圧機構６によって開閉機構７のホルダ１６を加圧しているので、ＩＣカード４と密着型スキャナ５との間隔を一定に保持することができ、被写界深度の浅い密着型スキャナ５の使用が可能になる。密着型スキャナ５は縮小光学型イメージスキャナに比べて小型であり、カードリーダを小型化することが出来る。
【００２５】
また、加圧機構６によってＩＣカード４の湾曲を矯正しながら密着型スキャナ５が画像を取り込むので、読み取り性能が向上する。
【００２６】
また、たとえＩＣカード４の湾曲を完全に矯正できない場合であっても加圧機構６であるコイルスプリングが縮まることで密着型スキャナ５が退くので、ＩＣカード４の湾曲に応じてカード搬送路２の高さが変化することになり、搬送負荷を軽減しカードジャムを防止することができる。
【００２７】
また、開閉機構７によって密着型スキャナ５を開閉式にしているので、密着型スキャナ５の投受光面（ガラス）に付着したゴミ等のクリーニング等のメンテナンス性が向上する。
【００２８】
さらに、開閉機構７のホルダ１６を加圧機構６によって加圧すると共に、開閉機構７の開閉方向と加圧機構６の加圧方向とを一致させているので、いわば加圧機構６と開閉機構７を兼用することになり、部品点数の増加を抑えて生産コストを削減することができる。
【００２９】
なお、上述の形態は本発明の好適な形態の一例ではあるがこれに限定されるものではなく本発明の要旨を逸脱しない範囲において種々変形実施可能である。例えば、上述の説明では開閉機構７を軸１４を中心に揺動させることで上下方向に開閉する構造とし且つ加圧機構６によってホルダ１６を下方向に加圧する構造であったが、必ずしもこの構造に限るものではない。例えば、ホルダ１６を図示しないガイド等に沿って上下に移動させてメンテナンスを可能にすると共に、加圧機構６によってホルダ１６を下方に加圧するようにしても良い。また、ホルダ１６を取り外し可能にしても良い。
【００３０】
また、上述の説明では、加圧機構６として圧縮コイルスプリングを使用していたが、必ずしもこれに限るものではなく、例えば引っ張りコイルスプリングや、捻りコイルスプリング、更にはリーフスプリング等を使用しても良い。
【００３１】
さらに、上述の説明では、接触式のＩＣ接点ブロック８を備えるカードリーダを例にしたが、必ずしもこのタイプのカードリーダに限るものではない。また、磁気ヘッド９を有していないカードリーダや、逆にＩＣ接点ブロック８を有していないカードリーダに適用しても良い。
【００３２】
【発明の効果】
以上説明したように請求項１記載のカードリーダでは、搬送中のカードに形成されたエンボスを読み取る密着型スキャナと、この密着型スキャナをカードに密着するように加圧する加圧機構とを備えているので、被写界深度の浅い密着型スキャナの使用が可能になり、カードリーダを小型化することができる。また、加圧機構によってカードの湾曲を矯正しながら密着型スキャナによって画像取り込みを行うことが出来るので、読み取り性能が向上する。さらに、カードの湾曲を完全に矯正できない場合であっても加圧機構によって密着型スキャナを逃がすことができるので、カードの搬送負荷を軽減しカードジャムを防止することができる。
【００３３】
また、密着型スキャナ及び加圧機構をカード搬送路に対して近接・離間する方向に移動可能な開閉機構を有しているので、密着型スキャナのメンテナンスが容易になる。また、加圧機構の加圧方向と開閉機構による密着型スキャナ及び加圧機構の移動方向が同じになり、加圧機構と開閉機構の部品の兼用を図ることができ、部品点数の増加を抑えて製造コストを削減することができる。
【００３４】
この場合、請求項２記載のカードリーダのように、開閉機構は、本体フレームに軸によって揺動可能に取り付けられた揺動フレームと、この揺動フレームに固定され、リブが設けられたホルダと、このホルダを固定フレームに係止する係止手段とを備えることが好ましい。
【００３５】
また、請求項３記載のカードリーダのように、係止手段は、摘みと、この摘みに固定された軸と、この軸をその径方向に貫通する止めピンとを備えることが好ましい。
【図面の簡単な説明】
【図１】本発明を適用したカードリーダの実施形態の一例を示し、その側面からみた概略構成図である。
【図２】同カードリーダの画像読み込み部を拡大して示す概略構成図である。
【図３】同カードリーダの画像読み込み部の平面図である。
【図４】同カードリーダのホルダに設けられたリブを示す図である。
【図５】同カードリーダのホルダを示す平面図である。
【図６】同カードリーダの固定フレームを示す平面図である。
【符号の説明】
１  駆動モータ
２  カード搬送路
３  カード搬送手段
４  ＩＣカード
５  密着型スキャナ
６  加圧機構
７  開閉機構
１３  本体フレーム
１４  軸
１５  揺動フレーム
１６  ホルダ
１７  固定フレーム
１８  係止手段
２３  摘み
２４  摘みに固定された軸
２５  止めピン
【図１】
0004195554.tif 000002
【図２】
0004195554.tif 000003
【図３】
0004195554.tif 000004
【図４】
0004195554.tif 000005
【図５】
0004195554.tif 000006
【図６】
0004195554.tif 000007